(57)【要約】      （修正有）【課題】充電部分から離れた位置から所定の着脱作業を行い得るプラグの着脱補助治具を提供する。【解決手段】テストプラグ３０を挿入し得る開口部１Ａを有する枠体１と、当該枠体１に固着された固定ハンドル２と、バネにより当該開口部１Ａ側へ軸方向に移動可能に支持された可動ハンドル３と、当該可動ハンドル３に一端部が連結された操作ロッド５と、当該テストプラグ３０の絶縁支持体３１の前面に当接して当該可動ハンドル３側への移動を規制する固定保持片９と、当該開口部１Ａ側の端部に回動可能に支持されるとともに当該操作ロッド５の他端部が連結された可動保持片６とを有し、当該可動保持片６は当該可動ハンドル３が当該固定ハンドル２側への移動に伴って回動することにより起立して当該絶縁支持体３１の後面に当接する。【選択図】図１
2010142056.tif 000002
【特許請求の範囲】
【請求項１】
ターミナルに挿入することにより所定の電気回路を構成するプラグを把持して前記ターミナルに対する前記プラグの着脱を行うための着脱補助治具であって、
前記プラグを挿入し得る開口部を有して軸方向に伸びる枠体と、
前記開口部の反対側の端部で前記枠体に固着されている固定ハンドルと、
前記軸方向に移動可能に前記枠体に支持されている可動ハンドルと、
前記可動ハンドルを前記開口部側に向けて付勢する付勢部材と、
前記可動ハンドルに一端部が連結されて前記枠体の前記軸方向に沿い開口部側に伸びる操作ロッドと、
前記枠体に挿入された前記プラグの前面に当接して前記プラグの可動ハンドル側への移動を規制するよう前記枠体に固定されている固定保持片と、
前記枠体の前記開口部側の端部に基端部を回動可能に支持されるとともに前記操作ロッドの他端部が連結されて前記可動ハンドルの前記固定ハンドル側への移動に伴い一方向に回動することにより起立して前記枠体に挿入された前記プラグの後面に当接する一方、前記付勢部材の付勢力の作用による前記可動ハンドルの前記開口部側への移動に伴い反対方向に回動することにより倒れて前記開口部を開口する可動保持片とを有することを特徴とするプラグの着脱補助治具。
【請求項２】
請求項１に記載するプラグの着脱補助治具において、
前記ターミナルは、配電盤に配設されて系統の電源側と負荷側との間に接続されているテストターミナルであり、
前記プラグは、前記テストターミナルの複数の導体にそれぞれ接触する電源側の導体と負荷側の導体とを各相毎に絶縁部材の相対向する面にそれぞれ具備して前記テストターミナルに対して着脱されるテストプラグであり、
前記固定保持片に当接される前面は、前記テストプラグを構成する部材のうち最大輪郭を有する部材である絶縁支持体の前面であり、
前記可動保持片に当接される後面は、前記絶縁支持体の後面であることを特徴とするプラグの着脱補助治具。
【請求項３】
請求項１又は請求項２に記載するプラグの着脱補助治具において、
前記操作ロッドの他端部と前記可動保持片との連結部は、前記可動保持片の回動中心よりも前記枠体の内側に設けたことを特徴とするプラグの着脱補助治具。
【発明の詳細な説明】
【技術分野】
【０００１】
本発明はプラグの着脱補助治具に関し、特にテストターミナルにテストプラグを着脱する際に用いて有用なものである。
【背景技術】
【０００２】
電力系統の保護機器である継電器の動作確認等を行うためテストプラグが利用されている。この種のテストプラグは、負荷側の継電器等の点検作業を行うに当たり、配電盤に配設されて系統の電源側と負荷側との間に接続されているテストターミナルに挿入して使用される。ここで、テストターミナルには電源側がＣＴ（変流器）に接続されているＣＴ用のテストターミナルと、電源側がＰＴ（計器用変圧器）に接続されているＰＴ用のテストターミナルとが存在する。そこで、これに対応してテストプラグにもＣＴ用のテストターミナルに挿入して使用されるＣＴ用のテストプラグと、ＰＴ用のテストターミナルに挿入して使用されるＰＴ用のテストプラグの二種類が用意されている。
【０００３】
図６はＣＴ用のテストプラグを後方から見た状態を示す斜視図である。同図に示すように、ＣＴ用のテストプラグ３０は、絶縁支持体３１に一体的に連続している後方絶縁支持体３９から突出した絶縁板３２に、各相（図にはＢ相，Ｗ相，Ｒ相及びＮ相（接地相）の４相の場合を示している。）に対応するとともに、上下に相互に絶縁された各一対の電源側の導体３５Ｂ，３５Ｗ，３５Ｒ，３５Ｎ及び負荷側の導体４５Ｂ，４５Ｗ，４５Ｒ，４５Ｎが並設されており、それらの基端部は、同軸状に配設された４組の端子３７，４７にそれぞれ接続されている。ここで、絶縁支持体３１は当該テストプラグ３０を構成する部材のうち最大輪郭を有する部材であり、後方絶縁支持体３９との間に形成された段部３１Ａを有している。また、テストプラグ３０の隣接する各相間（Ｂ−Ｗ相間，Ｗ−Ｒ相間，Ｒ−Ｎ相間）は絶縁部材３３で絶縁されている。さらに、両端部の相間（Ｂ−Ｗ相間，Ｒ−Ｎ相間）を絶縁する絶縁部材３３の先端部にはＣＴ用のテストプラグ３０に固有の凸部３４１，３４２が形成してある。
【０００４】
かかるテストプラグ３０は、ＣＴの各相（Ｂ相，Ｗ相，Ｒ相）の２次側が開放されるのを避けるため、例えば複数の短絡片３８により４個の端子３７間を連結接続して電源側の導体３５Ｂ，３５Ｗ，３５Ｒ，３５Ｎ間を短絡するとともに、他の端子４７に試験装置（図示せず）等を接続して所定の試験乃至測定に供している。
【０００５】
一方、電力系統には、事故時等における電源側の異常な電圧降下を検出するためのＰＴも通常設けてあり、かかるＰＴも、前述の如く配電盤に配設したＰＴ用のテストターミナルを介して所定の継電器等に接続してある。ＰＴ用のテストターミナルとＣＴ用のテストターミナルの基本的な構造は同じであり、またＰＴ用のテストプラグとＣＴ用のテストプラグ３０の基本的な構造も同じであるが、間違ってＣＴ用のテストターミナルにＰＴ用のテストプラグを挿入しないように、また逆にＰＴ用のテストターミナルにＣＴ用のテストプラグ３０を挿入しないように構造的な工夫がしてある。
【０００６】
図７はＰＴ用のテストプラグを後方から見た状態を示す斜視図である。同図に示すように、ＰＴ用のテストプラグ４０では、中央の相間（Ｗ−Ｒ相間）を絶縁する絶縁部材４３の先端部にＰＴ用のテストプラグ４０に固有の凸部４４を設けてあり、両端部の相間（Ｂ−Ｗ相間，Ｒ−Ｎ相間）を絶縁する絶縁部材４３の先端部にはＣＴ用のテストプラグ３０が有する凸部３４１，３４２は設けられていない。かかるテストプラグ４０において、絶縁部材４３及び凸部４４以外は、図６に示すテストプラグ３０と全く同一の構成であるので、対応する部分には同一番号を付して重複する説明は省略する。
【０００７】
図８はＣＴ用のテストターミナルの凸部とＣＴ用のテストプラグの凸部との関係を説明するための説明図、図９はＰＴ用のテストターミナルの凸部とＰＴ用のテストプラグの凸部との関係を説明するための説明図である。
【０００８】
図８（ａ）に示すテストターミナル５０において、同図（ｂ）に示すテストプラグ３０の凸部３４１，３４２に対応する位置には凸部が形成されておらず、テストプラグ４０の凸部４４に対応する位置に凸部５１が形成されている。一方、図９（ａ）に示すテストターミナル６０において、同図（ｂ）に示すテストプラグ４０の凸部４４に対応する位置には凸部が形成されておらず、テストプラグ３０の凸部３４１，３４２に対応する位置に凸部６１１，６１２が形成されている。
【０００９】
かくして、ＣＴ用のテストターミナル５０に間違ってＰＴ用のテストプラグ４０を挿入しようとしても凸部５１と凸部４４とが干渉し、またＰＴ用のテストターミナル６０に間違ってＣＴ用のテストプラグ３０を挿入しようとしても凸部６１１，６１２と凸部３４１，３４２とが干渉して何れも挿入できないようになっている。
【００１０】
図１０はテストターミナルに挿入されたテストプラグを引き抜く際の態様を示す説明図である。同図に示すように、引き抜き時には作業者がその手７０でテストプラグ３０の段部３１Ａを介して絶縁支持体３１を持ち図中右方向に引き抜く。一方、挿入時には後方絶縁支持体３９の後端面が配電盤面８０（正確には配電盤に配設されたテストターミナル５０）に当接するまでテストプラグ３０をテストターミナル５０（図８参照）に挿入する。
【００１１】
上述の如くテストプラグ３０のテストターミナル５０からの引き抜きは、絶縁支持体３１の段部３１Ａを持って行わなければならない。この結果、特にテストターミナルが配電盤に高密度で配設されている場合等には、隣接して挿入されているテストプラグ３０間に手７０を差し込んで行う引き抜き作業が難しく、作業性の悪化を招来している。また、図１１に示すように、試験の種類によっては電源側の端子３７と負荷側の端子４７との間に導線９１，９２を介して電気計器９０を接続する場合があるが、この場合において導線９１は活線側の導体であるので、これに手７０が触れた場合には感電する虞がある。かかる感電事故の確率は隣接するテストプラグ３０間の間隔が狭くなる程高くなる。
【００１２】
なお、特許文献１には、この種のテストプラグに関連して検電器を別途用意することなく、試験作業者の感電防止のための負担を軽くし、検電作業を容易に行えるようにした耐電圧試験用治具が開示されている。
【特許文献１】特開平０９−３０４４６９号公報
【発明の開示】
【発明が解決しようとする課題】
【００１３】
上述の如くテストプラグ３０は、特にその引き抜き作業時の感電事故の可能性等を含め、作業性に問題があり、その改善が望まれていた。したがって、近年ますます顕著になってきているテストプラグ３０の高密度装着に対する要求に応えるためにも、テストプラグのテストターミナルからの引き抜き作業及びテストプラグのテストターミナルに対する挿入作業の作業性の改善を図ることが肝要である。
【００１４】
なお、図８はＣＴ用のテストプラグ３０を示すが、上述の引き抜き作業及び作業性に関する記載はＰＴ用のテストプラグ４０の場合にもそのまま当てはまる。両者は凸部３４１，３４２，４４の配設位置が異なるだけで他の構成は全く同じであるからである。
【００１５】
本発明は、上記従来技術に鑑み、充電部分から離れた位置からターミナルに対するプラグの所定の着脱作業を行い得るプラグの着脱補助治具を提供することを目的とする。
【課題を解決するための手段】
【００１６】
上記目的を達成する本発明の第１の態様は、ターミナルに挿入することにより所定の電気回路を構成するプラグを把持して前記ターミナルに対する前記プラグの着脱を行うための装着補助治具であって、前記プラグを挿入し得る開口部を有して軸方向に伸びる枠体と、前記開口部の反対側の端部で前記枠体に固着されている固定ハンドルと、前記軸方向に移動可能に前記枠体に支持されている可動ハンドルと、前記可動ハンドルを前記開口部側に向けて付勢する付勢部材と、前記可動ハンドルに一端部が連結されて前記枠体の前記軸方向に沿い開口部側に伸びる操作ロッドと、前記枠体に挿入された前記プラグの前面に当接して前記プラグの可動ハンドル側への移動を規制するよう前記枠体に固定されている固定保持片と、前記枠体の前記開口部側の端部に基端部を回動可能に支持されるとともに前記操作ロッドの他端部が連結されて前記可動ハンドルの前記固定ハンドル側への移動に伴い一方向に回動することにより起立して前記枠体に挿入された前記プラグの後面に当接する一方、前記付勢部材の付勢力の作用による前記可動ハンドルの前記開口部側への移動に伴い反対方向に回動することにより倒れて前記開口部を開口する可動保持片とを有することを特徴とするプラグの着脱補助治具にある。
【００１７】
かかる本態様において、可動保持片が倒れている状態で開口部を介して枠体をプラグに押し込むとプラグは固定保持片に当接して止まる。かかる状態で可動ハンドルを固定ハンドル側に引くことにより操作ロッドを介して可動保持片を起立させる。この結果、可動保持片がプラグの後面に当接するので、固定保持片と可動保持片との間でプラグを挟持することできる。すなわち枠体でプラグを把持することができる。かかる把持状態で枠体を介してターミナルにプラグを差し込めばターミナルに対するプラグの挿入が完了し、ターミナルからプラグを引き抜けばターミナルからのプラグの抜き取りが完了する。
【００１８】
本発明の第２の態様は、第１の態様に記載するプラグの着脱補助治具において、前記ターミナルは、配電盤に配設されて系統の電源側と負荷側との間に接続されているテストターミナルであり、前記プラグは、前記テストターミナルの複数の導体にそれぞれ接触する電源側の導体と負荷側の導体とを各相毎に絶縁部材の相対向する面にそれぞれ具備して前記テストターミナルに対して着脱されるテストプラグであり、前記固定保持片に当接される前面は、前記テストプラグを構成する部材のうち最大輪郭を有する部材である絶縁支持体の前面であり、前記可動保持片に当接される後面は、前記絶縁支持体の後面であることを特徴とするプラグの着脱補助治具にある。
【００１９】
かかる本態様によれば、可動ハンドルを引くことにより枠体で絶縁支持体を挟持することができ、これによりテストプラグを把持しすることができる。かかる状態で枠体を介してテストターミナルに対するテストプラグの着脱を容易に行うことができる。
【００２０】
本発明の第３の態様は、第１又は第２の態様に記載するプラグの着脱補助治具において、前記操作ロッドの他端部と前記可動保持片との連結部は、前記可動保持片の回動中心よりも前記枠体の内側に設けたことを特徴とするプラグの着脱補助治具にある。
【００２１】
かかる本態様によれば、可動保持片の起立動作の際の操作力の作用点が、回動中心よりも可動保持片の上方に位置することになるので、その分小さな操作力で可動保持片を起立させることができる。
【発明の効果】
【００２２】
本発明によれば、充電部分から離れた位置からターミナルに対するプラグの所定の着脱作業を行い得るとともに、特に多数のテストターミナルに各テストプラグが挿入された結果間隔が狭くなっている場合でも隣接するテストプラグ間に着脱のために操作者の手を挿入することなく前記着脱を行うことができる。この結果、プラグの着脱作業で作業者が感電する可能性を可及的に小さくすることができるばかりでなく、狭隘部分での着脱作業であっても、これを効率的に行うことができる。
【発明を実施するための最良の形態】
【００２３】
以下本発明の実施の形態を図面に基づき詳細に説明する。
【００２４】
図１は本発明の実施の形態に係る着脱補助治具を、テストプラグを挿入する前の状態で示す側面図、図２はテストプラグを挿入した状態で示す側面図、図３はその平面図、図４は図２のＡ−Ａ’線矢視図、図５は各部を抽出して示す図で、（ａ）は図１のＢ部分の拡大図、（ｂ）はそのＣ線矢視図、（ｃ）は図１のＤ部分の拡大図である。なお、本形態はＣＴ用のテストプラグ３０に対する着脱補助治具として説明するが、ＰＴ用のテストプラグ４０にも当然そのまま適用し得る。両者は凸部３４１，３４２，４４の配設位置が異なるだけで他の構成は全く同じであるからである。
【００２５】
図１乃至図５に示すように、枠体１は、軸方向に伸びる４本の柱状部材からなり、絶縁支持体３１の輪郭よりも大きい矩形の外郭形状を構成してテストプラグ３０を挿入し得る開口部１Ａを有している。すなわち、開口部１Ａに内接する矩形の輪郭形状は、テストプラグ３０の一部を構成する部材のうち最大輪郭の部材である絶縁支持体３１の輪郭形状と同じか、それより大きくなるように形成してある。
【００２６】
固定ハンドル２は開口部１Ａの反対側の端部で枠体１に固着されている。可動ハンドル３は、枠体１の軸方向（図１の左右方向）に移動可能に枠体１に支持されている。この可動ハンドル３には、図５（ｃ）に明示するように、付勢部材であるバネ４の一端部が係止されている。バネ４の他端部は枠体１の開口部１Ａ側で枠体１に係止されている。かくして、操作力の付与により可動ハンドル３を、バネ４のバネ力に抗して固定ハンドル２側（図１の左方向）に引くことにより枠体１の軸方向に移動させても、操作力を解除することにより作用するバネ４の復元力により枠体１の軸方向に沿い逆方向（図１の右方向）に可動ハンドル３が移動して元の位置（原点位置）に戻るように構成してある。
【００２７】
操作ロッド５は、図５（ｃ）に明示するように、可動ハンドル３に一端部が連結されており、かかる状態で枠体１の軸方向に沿い開口部１Ａ側に伸びている。操作ロッド５の他端部は可動保持片６に連結されている。可動保持片６は、図５（ａ）に明示するように、枠体１の開口部１Ａ側の端部に、ピン７を介してその基端部を回動可能に支持されている。かくして、前述の如く、可動ハンドル３を引くことにより固定ハンドル２側へ移動させた場合には、ピン７を回動中心として、一方向（反時計方向）に回動し、この結果起立して、図２及び図３に明示するように、枠体１に挿入されたテストプラグ３０の絶縁支持体３１の後面に当接する。一方、操作力の解除に伴うバネ４の復元力の作用による可動ハンドル３の開口部１Ａ側への移動に伴い原点位置に戻ることにより逆方向（時計方向）に回動して、図１に明示するように倒れて開口部１Ａを開口する。ここで、可動保持片６は、図５（ｂ）に明示するように、ピン７の位置で規定されるその回動中心よりも枠体１の内側に設けてある。このことにより、可動保持片６の起立動作の際の操作力の作用点が、回動中心よりも可動保持片６の上方に位置することになるので、その分小さな操作力で可動保持片６を起立させることができる。
【００２８】
固定保持片９は枠体１に挿入されたテストプラグ３０の絶縁支持体３１の前面に当接してテストプラグ３０の可動ハンドル３側への移動を規制するよう枠体１に固定されている。
【００２９】
かかる着脱補助治具を用いてテストプラグ３０を着脱する際には、先ず図１に示すように、可動保持片６が倒れ、開口部１Ａが開口している状態で、開口部１Ａを介してテストプラグ３０を枠体１に挿入する。かかる挿入はテストプラグ３０の絶縁支持体３１の前面が固定保持片９に当接するまで行う。絶縁支持体３１の前面が固定保持片９に当接した後、可動ハンドル３を引くことにより操作ロッド５を介して可動保持片６を起立させる。この結果、可動保持片６が絶縁支持体３１の段部３１Ａである後面に当接するので、固定保持片９と可動保持片６との間でテストプラグ３０を挟持することできる。すなわち、枠体１を介して遠隔からテストプラグ３０を把持することができる。かかる把持状態で枠体１を介してテストターミナル５０（図８参照）にテストプラグ３０を差し込めばテストターミナル５０に対するテストプラグ３０の挿入が完了し、テストターミナル５０からテストプラグ３０を引き抜けばテストターミナル５０からのテストプラグ３０の抜き取りが完了する。
【００３０】
かくして本形態によれば、充電部分から離れた位置からテストターミナル５０に対するテストプラグ３０の所定の着脱作業を行い得るとともに、特に多数のテストターミナル５０に各テストプラグ３０が挿入された結果間隔が狭くなっている場合であっても隣接するテストプラグ３０間に着脱のために操作者の手を挿入することなく所定の着脱作業を行うことができる。この結果、テストプラグ３０の着脱作業で作業者が感電する可能性を可及的に小さくすることができるばかりでなく、狭隘部分での着脱作業であっても、これを効率的に行うことができる。
【００３１】
なお、上記実施の形態はテストプラグ３０、４０の着脱補助治具として説明したが、これに限るものではない。ターミナルに対する着脱の際、当該着脱補助治具で把持し得る部分を有していればそれ以外の条件はない。ここで、着脱補助治具の開口部は、一般的にはプラグの一部を構成する部材のうち最大輪郭の部材に外郭よりも大きな形状となっていれば良い。
【産業上の利用可能性】
【００３２】
本発明は電力系統の運用、保守に関する産業分野において利用することができる。
【図面の簡単な説明】
【００３３】
【図１】本発明の実施の形態に係る着脱補助治具を、テストプラグを挿入する前の状態で示す側面図である。
【図２】本発明の実施の形態に係る着脱補助治具を、テストプラグを挿入した状態で示す側面図である。
【図３】本発明の実施の形態に係る着脱補助治具を、テストプラグを挿入した状態で示す平面図である。
【図４】図２のＡ−Ａ’線矢視図である。
【図５】本発明の実施の形態に係る着脱補助治具の各部を抽出して示す図で、（ａ）は図１のＢ部分の拡大図、（ｂ）はそのＣ線矢視図、（ｃ）はＤ部分の拡大図である。
【図６】ＣＴ用のテストプラグを後方から見た状態を示す斜視図である。
【図７】ＰＴ用のテストプラグを後方から見た状態を示す斜視図である。
【図８】ＣＴ用のテストターミナルの凸部とＣＴ用のテストプラグの凸部との関係を説明するための説明図である。
【図９】ＰＴ用のテストターミナルの凸部とＰＴ用のテストプラグの凸部との関係を説明するための説明図である。
【図１０】配電盤に配設されたテストターミナルに挿入されたテストプラグを引き抜く際の態様を示す説明図である。
【図１１】テストプラグを配電盤に配設されたテストターミナルに装着して行う試験乃至測定の態様を示す説明図である。
【符号の説明】
【００３４】
１          枠体
１Ａ        開口部
２          固定ハンドル
３          可動ハンドル
４          バネ
５          操作ロッド
６          可動保持片
７          ピン
９          固定保持片
３０          テストプラグ
３１          絶縁支持体
３１Ａ        段部
３２          絶縁板
３３          絶縁部材
３７，４７    端子
４０          テストプラグ
４３          絶縁部材
５０          テストターミナル
６０          テストターミナル
８０          配電盤面
９０          電気計器
【図１】
2010142056.tif 000003
【図２】
2010142056.tif 000004
【図３】
2010142056.tif 000005
【図４】
2010142056.tif 000006
【図５】
2010142056.tif 000007
【図６】
2010142056.tif 000008
【図７】
2010142056.tif 000009
【図８】
2010142056.tif 000010
【図９】
2010142056.tif 000011
【図１０】
2010142056.tif 000012
【図１１】
2010142056.tif 000013